(57)【要約】【課題】  スイッチの切り換え操作に伴う過渡期間を短縮するスイッチ回路を提供することを目的とする。【解決手段】  本発明のスイッチ回路は、第１電圧が印加される第１電圧ラインと第２電圧が印加される第２電圧ラインとに接続され、下記の回路要素を備える。スイッチ素子Ｑａは、制御端子Ｇａを第２電圧側に電圧設定することで、第１電圧ラインを信号ノードＮａに導通させる。スイッチ素子Ｑｂは、信号ノードＮａに接続された制御端子Ｇｂを備え、制御端子Ｇｂを第１電圧側に電圧設定することで、制御端子Ｇａを第２電圧ラインに導通させる。スイッチ部品は、第１接点状態において制御端子Ｇａを第２電圧ラインに接点接続し、第２接点状態において信号ノードＮａを第２電圧ラインに接点接続する。【選択図】      図１
2008096754.tif 000002
【特許請求の範囲】
【請求項１】
第１電圧が印加される第１電圧ラインと第２電圧が印加される第２電圧ラインとに接続され、信号ノードＮａの電圧を前記第１電圧／前記第２電圧に切り換えるスイッチ回路であって、
制御端子Ｇａを前記第２電圧側に電圧設定することで、前記第１電圧ラインを信号ノードＮａに導通させるスイッチ素子Ｑａと、
前記信号ノードＮａに接続された制御端子Ｇｂを備え、前記制御端子Ｇｂを前記第１電圧側に電圧設定することで、前記制御端子Ｇａと前記第２電圧ラインとを導通させるスイッチ素子Ｑｂと、
第１接点状態において前記制御端子Ｇａを前記第２電圧ラインに接点接続し、第２接点状態において前記信号ノードＮａを前記第２電圧ラインに接点接続するスイッチ部品と
を備えたことを特徴とするスイッチ回路。
【請求項２】
請求項１に記載のスイッチ回路において、
前記信号ノードＮａに接続された制御端子Ｇｃを備え、前記制御端子Ｇｃを前記第２電圧側に電圧設定することで、前記第１電圧ラインと前記制御端子Ｇａとを導通させるスイッチ素子Ｑｃを備え、
前記制御端子Ｇａの接続ラインに前記第１電圧／前記第２電圧を切り換え出力する
ことを特徴とするスイッチ回路。
【請求項３】
請求項１に記載のスイッチ回路において、
前記スイッチ部品は、前記第１接点状態において、前記第１電圧ラインと前記信号ノードＮａとを接点接続し、
前記信号ノードＮａの接続ラインに前記第１電圧／前記第２電圧を切り換え出力する
ことを特徴とするスイッチ回路。
【請求項４】
請求項１ないし請求項３のいずれか１項に記載のスイッチ回路と、
前記スイッチ回路における前記第１電圧／前記第２電圧の切り換え信号を高域通過処理して高域通過信号を生成する高域通過回路と、
前記第１電圧／前記第２電圧の切り換え信号を介して給電を受け、前記高域通過信号の入力を契機に電力供給を開始する電源回路と、
を備えることを特徴とする電源装置。
【請求項５】
請求項４に記載の電源装置を備え、前記電源装置から供給される電力を用いて、閃光発光を行う閃光装置。                                                                                
【発明の詳細な説明】
【技術分野】
【０００１】
本発明は、スイッチ回路、電源回路、および閃光装置に関する。
【背景技術】
【０００２】
従来、閃光装置の電源スイッチとして、特許文献１の図４，図５に記載されるスイッチ回路が開示されている。このスイッチ回路では、スイッチ接点の移動によって、閃光装置の電源スイッチがオン状態になる。
【特許文献１】特開平１０−２６０４５９公報
【発明の開示】
【発明が解決しようとする課題】
【０００３】
本発明者は、閃光装置に採用する電源装置として、図６に記載の回路形式について検討した。この電源装置１００では、電源スイッチＳＷがオン状態になると、スイッチ出力Ｖoutが電流変動抑制用のインダクタＬを介してＤＣ−ＤＣコンバータ１４に給電される。
さらに、このスイッチ出力Ｖoutは、ＣＲ回路を介して高域通過信号に整形され、ＤＣ−ＤＣコンバータ１４の動作制御端子ＣＥに入力される。この高域通過信号は、電源スイッチＳＷがオンした直後のみハイレベルとなることで、ＤＣ−ＤＣコンバータ１４に起動トリガを与える。
【０００４】
電源スイッチＳＷは、理想的には、電源オン時にスイッチ抵抗が瞬時にゼロまで変化する。しかし、現実の電源スイッチＳＷは、接点接触の状態が機械的に変化するため、抵抗値ゼロまで瞬時に変化することは難しい。実際には、スイッチ抵抗が予測困難に変動する過渡期間を経過して、抵抗値ゼロに整定する。
特に、電源スイッチＳＷにスライドスイッチを使用した場合、ユーザーがスライド操作をゆっくり行うことでスイッチ内の接点移動が緩慢に生じる。このような動作では、スイッチ抵抗の過渡期間は特に長くなる。
【０００５】
ここで、電源オンの瞬間のスイッチ抵抗をＲｓｗとし、ＣＲ回路の抵抗をＲとし、電源電圧をＶinとすると、電源オンの瞬間における高域通過信号の瞬時値Ｖａは、
Ｖａ＝Ｖin・Ｒ／（Ｒ＋Ｒｓｗ）    …［１］
となる。この式に依れば、電源オンの瞬間のスイッチ抵抗Ｒｓｗが大きいほど、高域通過信号の瞬時値Ｖａは低くなる（図２参照）。その結果、瞬時値Ｖａが起動トリガの閾値Ｖthを下回ると、ＤＣ−ＤＣコンバータ１４は起動しなくなる。この場合、ＤＣ−ＤＣコンバータ１４から装置本体側への電力供給は開始されない。したがって、電源スイッチＳＷがオン状態にも拘わらず、装置本体は起動しないという不具合が生じてしまう。
そこで、本発明では、スイッチの切り換え操作に伴う過渡期間を短縮するスイッチ回路を提供することを目的とする。
【課題を解決するための手段】
【０００６】
《１》  本発明のスイッチ回路は、第１電圧が印加される第１電圧ラインと第２電圧が印加される第２電圧ラインとに接続され、信号ノードＮａの電圧を第１電圧／第２電圧に切り換えるスイッチ回路であり、下記の回路要素を備える。
スイッチ素子Ｑａは、制御端子Ｇａを第２電圧側に電圧設定することで、第１電圧ラインを信号ノードＮａに導通させる。
スイッチ素子Ｑｂは、信号ノードＮａに接続された制御端子Ｇｂを備え、制御端子Ｇｂを第１電圧側に電圧設定することで、制御端子Ｇａを第２電圧ラインに導通させる。
スイッチ部品は、第１接点状態において制御端子Ｇａを第２電圧ラインに接点接続し、第２接点状態において信号ノードＮａを第２電圧ラインに接点接続する。
《２》  なお好ましくは、信号ノードＮａに接続された制御端子Ｇｃを備え、制御端子Ｇｃを第２電圧側に電圧設定することで、第１電圧ラインと制御端子Ｇａとを導通させるスイッチ素子Ｑｃを備える。この場合、制御端子Ｇａの接続ラインに第１電圧／第２電圧を切り換え出力する。
《３》  また好ましくは、スイッチ部品は、第１接点状態において、第１電圧ラインと信号ノードＮａとを接点接続する。この場合、信号ノードＮａの接続ラインに第１電圧／第２電圧を切り換え出力する。
《４》  本発明の電源装置は、スイッチ回路、高域通過回路、および電源回路を備える。
このスイッチ回路は、《１》〜《３》のいずれか１項に記載のスイッチ回路である。
高域通過回路は、スイッチ回路における第１電圧／前記第２電圧の切り換え信号を高域通過処理して高域通過信号を生成する。
電源回路は、第１電圧／前記第２電圧の切り換え信号を介して給電を受け、高域通過信号の入力を契機に電力供給を開始する。
《５》  本発明の閃光装置は、《４》に記載の電源装置から供給される電力を用いて、閃光発光を行うことを特徴とする。
【発明の効果】
【０００７】
本発明では、スイッチ部品を第１接点状態にすると、スイッチ素子Ｑａの制御端子Ｇａは、接点接続によって第２電圧側へ電圧変化する。その結果、スイッチ素子Ｑａを介して、信号ノードＮａと第１電圧ラインは導通する。この動作によって、第１接点状態へのスイッチ切り換えとほぼ同時に、信号ノードＮａは第１電圧に変化する。
【０００８】
この信号ノードＮａは、スイッチ素子Ｑｂの制御端子Ｇｂに接続される。そのため、制御端子Ｇｂにも第１電圧が印加され、スイッチ素子Ｑｂは導通する。この導通によって、制御端子Ｇａは、第２電圧ラインに接続される。そのため、制御端子Ｇａは第２電圧に安定的に設定される。その結果、スイッチ素子Ｑａの導通状態は安定し、信号ノードＮａは第１電圧に安定的に維持される。
【０００９】
一方、スイッチ部品を第２接点状態にすると、信号ノードＮａが第２電圧ラインに接点接続される。この接点接続によって信号ノードＮａに接続される制御端子Ｇｂは第２電圧側へ電圧変化する。その結果、スイッチ素子Ｑｂは非導通に変化し、制御端子Ｇａと第２電圧ラインとは電気的に遮断される。その結果、スイッチ素子Ｑａも非導通に変化する。この状態では、信号ノードＮａには、スイッチ部品の接点接続を介して、第２電圧が出力される。
【００１０】
このように、本発明では、スイッチ部品を第１接点状態に切り換えることによって、信号ノードＮａの電圧を、短い過渡期間で第１電圧に切り換えることが可能になる。
【発明を実施するための最良の形態】
【００１１】
《第１実施形態》
図１は、第１実施形態における閃光装置１１の構成を示す図である。
図１において、閃光装置１１は、電源装置１２、システムコントロール用のＣＰＵ１５、および、閃光発光を制御する閃光制御部１６から概略構成される。電源装置１２から出力される電源電圧Ｖｃｃは、ＣＰＵ１５および閃光制御部１６にそれぞれ供給される。
電源装置１２は、スイッチ回路１３を備える。このスイッチ回路１３は、ユーザーによるスイッチ操作に応じて、スイッチ出力Ｖoutを出力する。このスイッチ出力Ｖoutは、電流変動抑制用のインダクタＬを介して、ＤＣ−ＤＣコンバータ１４に給電される。
さらに、このスイッチ出力Ｖoutは、ＣＲ回路を介して、高域通過信号に整形される。この高域通過信号は、起動トリガとして、ＤＣ−ＤＣコンバータ１４の動作制御端子ＣＥに入力される。
なお、この動作制御端子ＣＥは、ＣＰＵ１５にも接続される。通常、ＤＣ−ＤＣコンバータ１４は、閃光装置１１に対する動作指令（チャージまたは発光などの指令）が一定時間無い場合、スイッチ回路１３が電源オンの状態のまま省電力モードに移行する。この省電力モードでは、ＤＣ−ＤＣコンバータ１４は、ＣＰＵ１５を駆動可能な最小電圧のみを出力する。この状態において、ＣＰＵ１５が動作制御端子ＣＥに制御パルスを与えることによって、省電力モード（スリープモード）にあるＤＣ−ＤＣコンバータ１４を適時に再起動することができる。
【００１２】
［スイッチ回路１３の構成説明］
スイッチ回路１３は、電源電圧Ｖinが印加される電源ライン（第１電圧ライン）と、信号接地の基準となる接地電圧ＧＮＤが印加される接地ライン（第２電圧ライン）とに接続される。
Ｐチャンネルのスイッチ素子Ｑａは、ソース端子を電源ラインに接続し、ドレイン端子を信号ノードＮａに接続し、ゲート端子Ｇａを電源スイッチＳＷのオン側接点に接続する。
Ｎチャンネルのスイッチ素子Ｑｂは、ソース端子を接地ラインに接続し、ドレイン端子をゲート端子Ｇａに接続し、ゲート端子Ｇｂを信号ノードＮａに接続する。
電源スイッチＳＷは、オフ側接点が信号ノードＮａに接続され、共通接点が接地ラインに接続され、オン側接点がゲート端子Ｇａに接続される。
【００１３】
［スイッチ回路１３の動作説明］
スイッチ回路１３の電源スイッチＳＷをオン状態に切り換えると、スイッチ素子Ｑａのゲート端子Ｇａが、接地ラインに接点接続される。この場合、ゲート端子Ｇａから接地ラインに流れる電流は極めて小さい。そのため、電源スイッチＳＷの過渡的なスイッチ抵抗の影響は小さく、ゲート端子Ｇａの電圧は接地電圧ＧＮＤ側へ瞬時に変化する。その結果、Ｐチャンネルのスイッチ素子Ｑａは導通状態に瞬時に変化し、信号ノードＮａと電源ラインとが導通する。この動作によって、電源スイッチＳＷのオン状態へのスイッチ切り換えとほぼ同時に、信号ノードＮａには電源電圧Ｖinが出力される。
【００１４】
この信号ノードＮａは、スイッチ素子Ｑｂのゲート端子Ｇｂに接続される。そのため、ゲート端子Ｇｂにも電源電圧Ｖinが印加される。その結果、Ｎチャンネルのスイッチ素子Ｑｂは導通状態に変化する。このスイッチ素子Ｑｂの導通によって、ゲート端子Ｇａは、電源スイッチＳＷをバイパスして、接地ラインに接続される。この動作によって、ゲート端子Ｇａは、電源スイッチＳＷに依らずに、接地電圧ＧＮＤに安定設定される。その結果、スイッチ素子Ｑａの導通状態は安定に維持され、信号ノードＮａは電源電圧Ｖinを安定に出力する。
【００１５】
一方、電源スイッチＳＷをオフ状態に切り換えると、信号ノードＮａが接地ラインに接点接続される。この接点接続によって、信号ノードＮａに接続されるゲート端子Ｇｂは接地電圧ＧＮＤ側へ電圧変化する。その結果、スイッチ素子Ｑｂは非導通に変化し、ゲート端子Ｇａと接地ラインとは電気的に遮断される。このようにゲート端子Ｇａがフローティング状態となることにより、スイッチ素子Ｑａは非導通に変化する。この状態では、信号ノードＮａは、電源スイッチＳＷの接点接続を介して、接地ラインに接続される。その結果、信号ノードＮａは接地電圧ＧＮＤに変化する。
【００１６】
このように、電源スイッチＳＷのオン／オフ操作に従って、信号ノードＮａの電圧を電源電圧Ｖin／接地電圧ＧＮＤに切り換えることができる。第１実施形態では、この信号ノードＮａの電圧を、スイッチ回路１３のスイッチ出力Ｖoutとして使用する。
【００１７】
［第１実施形態の効果など］
（１）ＤＣ−ＤＣコンバータ１４の起動動作
上述したスイッチ回路１３では、電源スイッチＳＷを緩慢にオン状態に切り換えた場合であっても、スイッチ素子Ｑａは瞬間的に導通する。このとき、スイッチ素子Ｑａのオン抵抗も、ＣＲ回路の時定数に比べて格段に短い過渡時間で実質ゼロに変化する。
したがって、図６の回路で説明したようなスイッチ抵抗Ｒｓｗの影響は殆ど無く、図２に示すように、電源オンの瞬間における高域通過信号の瞬時値Ｖａは、
Ｖａ≒Ｖin    …［２］
となる。したがって、瞬時値Ｖａは起動トリガの閾値Ｖthを確実に上回るようになり、ＤＣ−ＤＣコンバータ１４は安定に起動する。その結果、電源スイッチＳＷが緩慢にオン状態に切り換わった場合であっても、閃光装置１１（電源装置１２）を確実に起動させることが可能になる。
【００１８】
（２）チャタリングの影響抑制効果
電源スイッチＳＷをオン状態に切り換えた瞬間、スイッチ接点の機械的な接触振動によって、接点状態が導通／開放を繰り返す場合がある（以下、この現象をチャタリングという）。
図６に示す回路において、電源スイッチＳＷにチャタリングが生じると、スイッチ出力Ｖoutは、電源電圧Ｖinとハイインピーダンス状態を振動的に繰り返す。この振動的な出力Ｖoutが、ＣＲ回路を通過すると、図３に点線で示す高域通過信号に変換される。この高域通過信号は、チャタリングに伴って振動的に電圧変化するため、起動トリガの閾値Ｖthを複数回にわたって上回る。そのため、ＤＣ−ＤＣコンバータ１４に対して、重畳的に起動トリガがかかるといった不具合が発生する。
【００１９】
一方、第１実施形態では、電源スイッチＳＷのオン状態に切り換わった直後、スイッチ素子Ｑｂの導通によってゲート端子Ｇａに接地電圧ＧＮＤを与えるバイパス路が形成される。この状態では、電源スイッチＳＷに接点開放が生じても回路的な影響はない。したがって、第１実施形態の高域通過信号は、チャタリングに拘わらず、図３に実線で示すような単発的な波形となる。そのため、ＤＣ−ＤＣコンバータ１４に対して、重畳的に起動トリガがかかるといった不具合を回避することができる。
【００２０】
《第２実施形態》
図４は、第２実施形態における閃光装置２１の構成を示す図である。
第２実施形態の構成上の特徴は、第１実施形態のスイッチ回路１３に代えて、スイッチ回路２３を設けている点である。なお、その他の構成は、第１実施形態と同じため、ここでの重複説明を省略する。
【００２１】
スイッチ回路２３は、電源電圧Ｖinが印加される電源ライン（第２電圧ライン）と、信号接地の基準となる接地電圧ＧＮＤが印加される接地ライン（第１電圧ライン）とに接続される。
Ｎチャンネルのスイッチ素子Ｑａ′は、ソース端子を接地ラインに接続し、ドレイン端子を信号ノードＮａに接続し、ゲート端子Ｇａ′を電源スイッチＳＷのオフ側接点に接続する。
Ｐチャンネルのスイッチ素子Ｑｂ′は、ソース端子を電源ラインに接続し、ドレイン端子をゲート端子Ｇａ′に接続し、ゲート端子Ｇｂ′を信号ノードＮａに接続する。
Ｎチャンネルのスイッチ素子Ｑｃは、ソース端子を接地ラインに接続し、ドレイン端子をゲート端子Ｇａ′に接続し、ゲート端子Ｇｃを信号ノードＮａに接続する。
電源スイッチＳＷは、オフ側接点が信号ノードＮａに接続され、共通接点が電源ラインに接続され、オン側接点がゲート端子Ｇａ′（図４に示す信号ノードＮｂ）に接続される。
【００２２】
［スイッチ回路２３の動作説明］
スイッチ回路２３の電源スイッチＳＷをオン状態に切り換えると、スイッチ素子Ｑａ′のゲート端子Ｇａ′（信号ノードＮｂ）が、電源ラインに接点接続される。この場合、電源ラインからゲート端子Ｇａ′に流れる電流は極めて小さい。そのため、電源スイッチＳＷの過渡的なスイッチ抵抗の影響は小さく、ゲート端子Ｇａ′の電圧は電源電圧Ｖin側へ瞬時に変化する。その結果、Ｎチャンネルのスイッチ素子Ｑａ′は導通状態に瞬時に変化し、信号ノードＮａと接地ラインとが導通する。すると、ゲート端子Ｇｂ′に接地電圧ＧＮＤが印加され、Ｐチャンネルのスイッチ素子Ｑｂ′は導通状態に変化する。その結果、信号ノードＮｂは、電源スイッチＳＷをバイパスして、電圧ラインに接続される。このバイパス路によって、ゲート端子Ｇａ′は、電源スイッチＳＷの接点状態に依らずに、電源電圧Ｖinに安定設定される。その結果、スイッチ素子Ｑａ′およびスイッチ素子Ｑｂ′の導通状態は安定に維持され、信号ノードＮｂは電源電圧Ｖinを安定出力する。したがって、電源スイッチＳＷのオン状態へのスイッチ切り換えとほぼ同時に、信号ノードＮｂからは電源電圧Ｖinが出力される。
【００２３】
一方、電源スイッチＳＷをオフ状態に切り換えると、信号ノードＮａが電源ラインに接点接続される。この接点接続によって、信号ノードＮａに接続されるゲート端子Ｇｂ′は電源電圧Ｖin側へ電圧変化する。その結果、スイッチ素子Ｑｂ′は非導通に変化し、ゲート端子Ｇａ′（信号ノードＮｂ）と電源ラインとは電気的に遮断される。このとき、スイッチ素子Ｑａ′のゲート端子Ｇａ′はフローティング状態となり、スイッチ素子Ｑａ′は非導通に変化する。一方、信号ノードＮａを介して、スイッチ素子Ｑｃのゲート端子Ｇｃは電源電圧Ｖin側へ電圧変化する。これによって、Ｎチャンネルのスイッチ素子Ｑｃは導通状態に変化し、信号ノードＮｂは接地ラインに接続される。その結果、電源スイッチＳＷのオフ状態へのスイッチ切り換えとほぼ同時に、信号ノードＮｂからは接地電圧ＧＮＤが出力される。
【００２４】
このように、電源スイッチＳＷのオン／オフ操作に従って、信号ノードＮｂの電圧を電源電圧Ｖin／接地電圧ＧＮＤに切り換えることができる。第２実施形態では、この信号ノードＮｂの電圧を、スイッチ回路２３のスイッチ出力Ｖoutとして使用する。
【００２５】
［第２実施形態の効果など］
第２実施形態においても、第１実施形態と同様の効果を得ることができる。
さらに、第２実施形態の特徴は、オン状態の電源スイッチＳＷを経由して、電源電流をＤＣ−ＤＣコンバータ１４に定常的に供給する点である。この構成では、スイッチ素子Ｑｂ′に大きな電源電流を流す必要がないため、スイッチ素子Ｑｂ′に小電力用の素子を採用できる。その結果、スイッチ回路２３の小型化や低コスト化を容易に実現できる。
なお、スイッチ素子Ｑｂ′を通過する電源電流を更に積極的に抑制するため、スイッチ素子Ｑｂ′のドレイン端子と信号ノードＮｂとの間に抵抗（ＣＲ回路のＲよりも充分に小さな抵抗値であれば問題ない）を挿入してもよい。
【００２６】
《第３実施形態》
図５は、第３実施形態における閃光装置３１の構成を示す図である。
第３実施形態の構成上の特徴は、第１実施形態のスイッチ回路１３に代えて、スイッチ回路３３を設けている点である。なお、その他の構成は、第１実施形態と同じため、ここでの重複説明を省略する。
スイッチ回路３３では、スイッチＳＷとして２回路スイッチを採用して、オン状態において電源ラインと信号ノードＮａとを接点接続する点である。なお、その他の構成は、第１実施形態のスイッチ回路１３と同じため、ここでの重複説明を省略する。
【００２７】
［第３実施形態の効果など］
第３実施形態においても、第１実施形態と同様の効果を得ることができる。
さらに、第３実施形態の特徴は、オン状態の電源スイッチＳＷを経由して、電源電流をＤＣ−ＤＣコンバータ１４に定常的に供給する点である。この構成では、スイッチ素子Ｑａに大きな電源電流を流す必要がないため、スイッチ素子Ｑａに小電力用の素子を採用できる。その結果、スイッチ回路３３の小型化や低コスト化を容易に実現できる。
なお、スイッチ素子Ｑａを通過する電源電流を更に積極的に抑制するため、スイッチ素子Ｑａのドレイン端子と信号ノードＮａとの間に抵抗（ＣＲ回路のＲよりも充分に小さな抵抗値であれば問題ない）を挿入してもよい。
【００２８】
《実施形態の補足事項》
なお、上述した実施形態では、スイッチ素子として電界効果トランジスタを使用している。しかしながら、本発明はこれに限定されるものではない。スイッチ素子としてバイポーラトランジスタその他のスイッチ素子を使用してもよい。
【００２９】
また、回路動作が等価であれば、電源の極性、回路素子の極性や導電型などを反転させてもよい。
【００３０】
なお、上述した実施形態では、基本的な回路構成を示している。したがって、回路動作に支障無い回路素子や、発振防止用の回路素子や、短絡防止用の回路素子や、省電力用の回路素子などを回路上に適宜追加してもよい。
【００３１】
また、本発明は、その精神または主要な特徴から逸脱することなく、他のいろいろな形で実施することができる。そのため、前述の実施例はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する変形や変更は、すべて本発明の範囲内のものである。
【産業上の利用可能性】
【００３２】
以上説明したように、本発明は、スイッチ回路、電源装置、または閃光装置などに利用可能な技術である。
【図面の簡単な説明】
【００３３】
【図１】第１実施形態における閃光装置１１の構成を示す図である。
【図２】緩慢なスイッチ操作時の高域通過信号を示す図である。
【図３】チャタリング発生時の高域通過信号を示す図である。
【図４】第２実施形態における閃光装置２１の構成を示す図である。
【図５】第３実施形態における閃光装置３１の構成を示す図である。
【図６】ＣＲ結合によって起動トリガをかける電源装置を示す図である。
【符号の説明】
【００３４】
１１…閃光装置，１２…電源装置，１３…スイッチ回路，１４…ＤＣ−ＤＣコンバータ，１５…ＣＰＵ，１６…閃光制御部，２１…閃光装置，２３…スイッチ回路，３１…閃光装置，３３…スイッチ回路，ＣＥ…動作制御端子，Ｎａ…信号ノード，Ｎｂ…信号ノード，Ｑａ…スイッチ素子，Ｑａ′…スイッチ素子，Ｑｂ…スイッチ素子，Ｑｂ′…スイッチ素子，Ｑｃ…スイッチ素子，Ｇａ…ゲート端子，Ｇａ′…ゲート端子，Ｇｂ…ゲート端子，Ｇｂ′…ゲート端子，Ｇｃ…ゲート端子，ＳＷ…電源スイッチ                                                                               
【図１】
2008096754.tif 000003
【図２】
2008096754.tif 000004
【図３】
2008096754.tif 000005
【図４】
2008096754.tif 000006
【図５】
2008096754.tif 000007
【図６】
2008096754.tif 000008